(57)【特許請求の範囲】
【請求項１】
利用者が所持し、少なくとも単数の金融決済アプリケーションが搭載されている携帯電話機と、利用者が利用する店舗に設置され、利用者の物品購入時に前記携帯電話機と通信することにより金融決済アプリケーションの処理を行なう店舗端末装置と、金融決済会社に設置され、前記店舗端末装置と通信することにより金融決済アプリケーションの利用に伴う金融決済処理を行なうとともに、金融決済アプリケーションの利用によって発生するポイントを店舗での利用額に応じて当該金融決済アプリケーションに対して還元する処理を行なうホスト装置と、これら携帯電話機と店舗端末装置とホスト装置とを互いに通信可能に接続する通信手段とを有し、
前記携帯電話機は、
搭載された金融決済アプリケーションの種別を示すアプリケーション種別情報および当該金融決済アプリケーションを利用する利用者を特定する個人識別情報を保管する保管手段と、
前記店舗端末装置に対し当該店舗端末装置が設置されている店舗を特定する店舗情報の送信を要求する要求信号を送信する第１の送信手段とを具備し、
前記店舗端末装置は、
前記携帯電話機の第１の送信手段により送信される前記要求信号を受信する第１の受信手段と、
この第１の受信手段により前記要求信号を受信すると、前記携帯電話機に対し前記店舗情報を送信する第２の送信手段とを具備し、
前記携帯電話機は、
前記店舗端末装置の第２の送信手段により送信される店舗情報を受信する第２の受信手段と、
この第２の受信手段により店舗情報を受信すると、当該店舗情報および前記保管手段により保持されているアプリケーション種別情報および個人識別情報とともにポイント還元率の検索を要求する要求信号を前記ホスト装置に対し送信する第３の送信手段とを具備し、
前記ホスト装置は、
前記携帯電話機の第３の送信手段により送信される前記要求信号および店舗情報およびアプリケーション種別情報および個人識別情報を受信する第３の受信手段と、
この第３の受信手段により前記要求信号を受信すると、個人識別情報ごとに設けられたポイント還元率および店舗情報ごとに設けられたポイント還元率に基づき、前記第３の受信手段により受信した個人識別情報の利用者の、前記第３の受信手段により受信した店舗情報の店舗における、前記第３の受信手段により受信したアプリケーション種別情報の金融決済アプリケーションに対して還元するポイントの還元率を金融決済アプリケーションの種別ごとに検索する検索手段と、
この検索手段により検索された金融決済アプリケーション種別ごとのポイント還元率を前記携帯電話機に対し送信する第４の送信手段とを具備し、
前記携帯電話機は、
前記ホスト装置の第４の送信手段により送信される金融決済アプリケーション種別ごとのポイント還元率を受信する第４の受信手段と、
この第４の受信手段により受信された金融決済アプリケーション種別ごとのポイント還元率を表示する表示手段とを具備するポイント還元率検索システム。
【請求項２】
前記携帯電話機は、前記第４の受信手段により受信された金融決済アプリケーション種別ごとのポイント還元率を、ポイント還元率が高い金融決済アプリケーションの順番に前記表示手段に表示する請求項１記載のポイント還元率検索システム。
【請求項３】
前記携帯電話機は、前記第４の受信手段により受信された金融決済アプリケーション種別ごとのポイント還元率のうち最も高いポイント還元率の金融決済アプリケーションを自動的に選択して前記店舗端末装置との取引に使用する請求項１記載のポイント還元率検索システム。
【請求項４】
前記携帯電話機は、前記第４の受信手段により受信された金融決済アプリケーション種別ごとのポイント還元率を、ポイント還元率が高い金融決済アプリケーションの順番に前記表示手段に表示し、あらかじめ定められた所定時間を経過すると、最も高いポイント還元率の金融決済アプリケーションを自動的に選択して前記店舗端末装置との取引に使用する請求項１または請求項２記載のポイント還元率検索システム。
【請求項５】
利用者が所持し、少なくとも単数の金融決済アプリケーションが搭載されている携帯可能電子装置と、利用者が利用する店舗に設置され、利用者の物品購入時に前記携帯可能電子装置と通信することにより金融決済アプリケーションの処理を行なう店舗端末装置と、金融決済会社に設置され、前記店舗端末装置と通信することにより金融決済アプリケーションの利用に伴う金融決済処理を行なうとともに、金融決済アプリケーションの利用によって発生するポイントを店舗での利用額に応じて当該金融決済アプリケーションに対して還元する処理を行なうホスト装置と、これら店舗端末装置とホスト装置とを互いに通信可能に接続する通信手段とを有し、
前記店舗端末装置は、
前記携帯可能電子装置に対しアプリケーション種別情報および個人識別情報の送信を要求する要求信号を送信する第１の送信手段を具備し、
前記携帯可能電子装置は、
搭載された金融決済アプリケーションの種別を示すアプリケーション種別情報および当該金融決済アプリケーションを利用する利用者を特定する個人識別情報を保管する保管手段と、
前記店舗端末装置の第１の送信手段により送信される前記要求信号を受信する第１の受信手段と、
この第１の受信手段により前記要求信号を受信すると、前記保管手段により保持されているアプリケーション種別情報および個人識別情報を前記店舗端末装置に対し送信する第２の送信手段とを具備し、
前記店舗端末装置は、
前記携帯可能電子装置の第２の送信手段により送信されるアプリケーション種別情報および個人識別情報を受信する第２の受信手段と、
この第２の受信手段によりアプリケーション種別情報および個人識別情報を受信すると、当該店舗端末装置が設置されている店舗を特定する店舗情報および前記第２の受信手段により受信したアプリケーション種別情報および個人識別情報とともにポイント還元率の検索を要求する要求信号を前記ホスト装置に対し送信する第３の送信手段とを具備し、
前記ホスト装置は、
前記店舗端末装置の第３の送信手段により送信される前記要求信号および店舗情報およびアプリケーション種別情報および個人識別情報を受信する第３の受信手段と、
この第３の受信手段により前記要求信号を受信すると、個人識別情報ごとに設けられたポイント還元率および店舗情報ごとに設けられたポイント還元率に基づき、前記第３の受信手段により受信した個人識別情報の利用者の、前記第３の受信手段により受信した店舗情報の店舗における、前記第３の受信手段により受信したアプリケーション種別情報の金融決済アプリケーションに対して還元するポイントの還元率を金融決済アプリケーションの種別ごとに検索する検索手段と、
この検索手段により検索された金融決済アプリケーション種別ごとのポイント還元率を前記店舗端末装置に対し送信する第４の送信手段とを具備し、
前記店舗端末装置は、
前記ホスト装置の第４の送信手段により送信される金融決済アプリケーション種別ごとのポイント還元率を受信する第４の受信手段と、
この第４の受信手段により受信された金融決済アプリケーション種別ごとのポイント還元率を表示する表示手段とを具備するポイント還元率検索システム。
【請求項６】
前記店舗端末装置は、前記第４の受信手段により受信された金融決済アプリケーション種別ごとのポイント還元率を、ポイント還元率が高い金融決済アプリケーションの順番に前記表示手段に表示する請求項５記載のポイント還元率検索システム。
【請求項７】
前記店舗端末装置は、前記第４の受信手段により受信された金融決済アプリケーション種別ごとのポイント還元率のうち最も高いポイント還元率の金融決済アプリケーションを自動的に選択して取引に使用する請求項５記載のポイント還元率検索システム。
【請求項８】
前記店舗端末装置は、前記第４の受信手段により受信された金融決済アプリケーション種別ごとのポイント還元率を、ポイント還元率が高い金融決済アプリケーションの順番に前記表示手段に表示し、あらかじめ定められた所定時間を経過すると、最も高いポイント還元率の金融決済アプリケーションを自動的に選択して取引に使用する請求項５記載のポイント還元率検索システム。
【請求項９】
前記個人識別情報ごとに設けられたポイント還元率を記憶する第１の記憶手段、および、前記店舗情報ごとに設けられたポイント還元率を記憶する第２の記憶手段を有し、
前記検索手段は、前記第３の受信手段により前記要求信号を受信すると、前記第１の記憶手段に記憶された個人識別情報ごとのポイント還元率および前記第２の記憶手段に記憶された店舗情報ごとのポイント還元率を参照することにより、前記第３の受信手段により受信した個人識別情報の利用者の、前記第３の受信手段により受信した店舗情報の店舗における、前記第３の受信手段により受信したアプリケーション種別情報の金融決済アプリケーションに対して還元するポイントの還元率を金融決済アプリケーションの種別ごとに検索する請求項１または請求項５記載のポイント還元率検索システム。
【請求項１０】
請求項１または請求項４記載のポイント還元率検索システムに使用されるもので、
搭載された金融決済アプリケーションの種別を示すアプリケーション種別情報および当該金融決済アプリケーションを利用する利用者を特定する個人識別情報を保管する保管手段と、
利用者が利用する店舗に設置され、利用者の物品購入時に前記携帯電話機と通信することにより金融決済アプリケーションの処理を行なう店舗端末装置に対し当該店舗端末装置が設置されている店舗を特定する店舗情報の送信を要求する要求信号を送信する第１の送信手段と、
この第１の送信手段による前記要求信号の送信に対しそれを受信した前記店舗端末装置から送信される前記店舗情報を受信する第１の受信手段と、
この第１の受信手段により前記店舗情報を受信すると、当該店舗情報および前記保管手段により保持されているアプリケーション種別情報および個人識別情報とともにポイント還元率の検索を要求する要求信号を前記ホスト装置に対し送信する第２の送信手段と、
この第２の送信手段による前記要求信号および店舗情報およびアプリケーション種別情報および個人識別情報の送信に対しそれを受信した前記ホスト装置から送信される、前記受信した個人識別情報の利用者の、前記受信した店舗情報の店舗における、前記受信したアプリケーション種別情報の金融決済アプリケーションに対して還元するポイントの還元率を受信する第２の受信手段と、
この第２の受信手段により受信されたポイント還元率を金融決済アプリケーションの種別ごとに表示する表示手段と、
を具備する携帯電話機。
【請求項１１】
請求項１または請求項５記載のポイント還元率検索システムに使用されるもので、
搭載された金融決済アプリケーションの種別を示すアプリケーション種別情報および当該金融決済アプリケーションを利用する利用者を特定する個人識別情報を保管する保管手段と、
前記店舗端末装置から送信されるアプリケーション種別情報および個人識別情報の送信を要求する要求信号を受信する受信手段と、
この受信手段により前記要求信号を受信すると、前記保管手段により保持されているアプリケーション種別情報および個人識別情報を前記店舗端末装置に対し送信する送信手段と、
前記保管手段および前記受信手段および前記送信手段を一体的に収納したカード本体と、
を具備するＩＣカード。
【発明の詳細な説明】
【技術分野】
【０００１】
本発明は、たとえば、クレジットアプリケーション等の金融決済アプリケーションの利用によって発生するポイントを店舗での利用額に応じて当該金融決済アプリケーションに対して還元するためのポイント還元率を検索するポイント還元率検索システムおよびそれに用いる携帯電話機およびＩＣカードに関する。
【背景技術】
【０００２】
近年、たとえば、クレジットカードの利用促進を図るための手段として、クレジットカードの利用者に対して、その利用金額に応じたポイントを付与し、当該ポイントの景品や金券などとの交換に限らず、貯めたポイントをクレジットカード利用額と相殺することで、実質的なキャッシュバックを行なうサービス等が普及している（たとえば、特許文献１、２参照）。
【０００３】
このように、クレジットカードを利用することで得られる割引やポイント還元のメリットから、１人で多数の金融決済カード（クレジットカード、キャッシュカード、電子マネー、ポイントカード等）を所持している利用者が多くなっている。
【０００４】
そのため、複数の金融決済アプリケーション（金融決済カード機能）を携帯電話機、非接触ＩＣカード、接触ＩＣカード等にダウンロードし発行して所持することも今後益々増えてくるものと思われる。
【０００５】
このような場合に、複数の金融決済アプリケーションを所持していると、決済を利用する店舗において、ポイント還元率が分らず、ポイント還元率が低い金融決済アプリケーションを使用してしまう恐れがある。
【０００６】
また、クレジットカードアプリケーションのポイント還元率は、利用する店舗やクレジット会社のキャンペーン、クレジット利用金額（累積）により異なることがあり、利用者は把握できないことが多くある。
【先行技術文献】
【特許文献】
【０００７】
【特許文献１】特開２００１−３４４４９５号公報
【特許文献２】特開２００６−３０９４９３号公報
【発明の概要】
【発明が解決しようとする課題】
【０００８】
本発明は、上記課題を解決するためになされたもので、利用する店舗による所有している金融決済アプリケーションのポイント還元率を決済前に把握することができ、きわめて利便性に優れたポイント還元率検索システムおよびそれに用いる携帯電話機およびＩＣカードを提供することを目的とする。
【課題を解決するための手段】
【０００９】
本発明のポイント還元率検索システムは、利用者が所持し、少なくとも単数の金融決済アプリケーションが搭載されている携帯電話機と、利用者が利用する店舗に設置され、利用者の物品購入時に前記携帯電話機と通信することにより金融決済アプリケーションの処理を行なう店舗端末装置と、金融決済会社に設置され、前記店舗端末装置と通信することにより金融決済アプリケーションの利用に伴う金融決済処理を行なうとともに、金融決済アプリケーションの利用によって発生するポイントを店舗での利用額に応じて当該金融決済アプリケーションに対して還元する処理を行なうホスト装置と、これら携帯電話機と店舗端末装置とホスト装置とを互いに通信可能に接続する通信手段とを有し、前記携帯電話機は、搭載された金融決済アプリケーションの種別を示すアプリケーション種別情報および当該金融決済アプリケーションを利用する利用者を特定する個人識別情報を保管する保管手段と、前記店舗端末装置に対し当該店舗端末装置が設置されている店舗を特定する店舗情報の送信を要求する要求信号を送信する第１の送信手段とを具備し、前記店舗端末装置は、前記携帯電話機の第１の送信手段により送信される前記要求信号を受信する第１の受信手段と、この第１の受信手段により前記要求信号を受信すると、前記携帯電話機に対し前記店舗情報を送信する第２の送信手段とを具備し、前記携帯電話機は、前記店舗端末装置の第２の送信手段により送信される店舗情報を受信する第２の受信手段と、この第２の受信手段により店舗情報を受信すると、当該店舗情報および前記保持手段により保持されているアプリケーション種別情報および個人識別情報とともにポイント還元率の検索を要求する要求信号を前記ホスト装置に対し送信する第３の送信手段とを具備し、前記ホスト装置は、前記携帯電話機の第３の送信手段により送信される前記要求信号および店舗情報およびアプリケーション種別情報および個人識別情報を受信する第３の受信手段と、この第３の受信手段により前記要求信号を受信すると、個人識別情報ごとに設けられたポイント還元率および店舗情報ごとに設けられたポイント還元率に基づき、前記第３の受信手段により受信した個人識別情報の利用者の、前記第３の受信手段により受信した店舗情報の店舗における、前記第３の受信手段により受信したアプリケーション種別情報の金融決済アプリケーションに対して還元するポイントの還元率を金融決済アプリケーションの種別ごとに検索する検索手段と、この検索手段により検索された金融決済アプリケーション種別ごとのポイント還元率を前記携帯電話機に対し送信する第４の送信手段とを具備し、前記携帯電話機は、前記ホスト装置の第４の送信手段により送信される金融決済アプリケーション種別ごとのポイント還元率を受信する第４の受信手段と、この第４の受信手段により受信された金融決済アプリケーション種別ごとのポイント還元率を表示する表示手段とを具備する。
【００１０】
また、本発明のポイント還元率検索システムは、利用者が所持し、少なくとも単数の金融決済アプリケーションが搭載されている携帯可能電子装置と、利用者が利用する店舗に設置され、利用者の物品購入時に前記携帯可能電子装置と通信することにより金融決済アプリケーションの処理を行なう店舗端末装置と、金融決済会社に設置され、前記店舗端末装置と通信することにより金融決済アプリケーションの利用に伴う金融決済処理を行なうとともに、金融決済アプリケーションの利用によって発生するポイントを店舗での利用額に応じて当該金融決済アプリケーションに対して還元する処理を行なうホスト装置と、これら店舗端末装置とホスト装置とを互いに通信可能に接続する通信手段とを有し、前記店舗端末装置は、前記携帯可能電子装置に対しアプリケーション種別情報および個人識別情報の送信を要求する要求信号を送信する第１の送信手段を具備し、前記携帯可能電子装置は、搭載された金融決済アプリケーションの種別を示すアプリケーション種別情報および当該金融決済アプリケーションを利用する利用者を特定する個人識別情報を保管する保管手段と、前記店舗端末装置の第１の送信手段により送信される前記要求信号を受信する第１の受信手段と、この第１の受信手段により前記要求信号を受信すると、前記保持手段により保持されているアプリケーション種別情報および個人識別情報を前記店舗端末装置に対し送信する第２の送信手段とを具備し、前記店舗端末装置は、前記携帯可能電子装置の第２の送信手段により送信されるアプリケーション種別情報および個人識別情報を受信する第２の受信手段と、この第２の受信手段によりアプリケーション種別情報および個人識別情報を受信すると、当該店舗端末装置が設置されている店舗を特定する店舗情報および前記第２の受信手段により受信したアプリケーション種別情報および個人識別情報とともにポイント還元率の検索を要求する要求信号を前記ホスト装置に対し送信する第３の送信手段とを具備し、前記ホスト装置は、前記店舗端末装置の第３の送信手段により送信される前記要求信号および店舗情報およびアプリケーション種別情報および個人識別情報を受信する第３の受信手段と、この第３の受信手段により前記要求信号を受信すると、個人識別情報ごとに設けられたポイント還元率および店舗情報ごとに設けられたポイント還元率に基づき、前記第３の受信手段により受信した個人識別情報の利用者の、前記第３の受信手段により受信した店舗情報の店舗における、前記第３の受信手段により受信したアプリケーション種別情報の金融決済アプリケーションに対して還元するポイントの還元率を金融決済アプリケーションの種別ごとに検索する検索手段と、この検索手段により検索された金融決済アプリケーション種別ごとのポイント還元率を前記店舗端末装置に対し送信する第４の送信手段とを具備し、前記店舗端末装置は、前記ホスト装置の第４の送信手段により送信される金融決済アプリケーション種別ごとのポイント還元率を受信する第４の受信手段と、この第４の受信手段により受信された金融決済アプリケーション種別ごとのポイント還元率を表示する表示手段とを具備する。
【００１１】
また、本発明の携帯電話機は、前記ポイント還元率検索システムに使用されるもので、搭載された金融決済アプリケーションの種別を示すアプリケーション種別情報および当該金融決済アプリケーションを利用する利用者を特定する個人識別情報を保管する保管手段と、利用者が利用する店舗に設置され、利用者の物品購入時に前記携帯電話機と通信することにより金融決済アプリケーションの処理を行なう店舗端末装置に対し当該店舗端末装置が設置されている店舗を特定する店舗情報の送信を要求する要求信号を送信する第１の送信手段と、この第１の送信手段による前記要求信号の送信に対しそれを受信した前記店舗端末装置から送信される前記店舗情報を受信する第１の受信手段と、この第１の受信手段により前記店舗情報を受信すると、当該店舗情報および前記保持手段により保持されているアプリケーション種別情報および個人識別情報とともにポイント還元率の検索を要求する要求信号を前記ホスト装置に対し送信する第２の送信手段と、この第２の送信手段による前記要求信号および店舗情報およびアプリケーション種別情報および個人識別情報の送信に対しそれを受信した前記ホスト装置から送信される、前記受信した個人識別情報の利用者の、前記受信した店舗情報の店舗における、前記受信したアプリケーション種別情報の金融決済アプリケーションに対して還元するポイントの還元率を受信する第２の受信手段と、この第２の受信手段により受信されたポイント還元率を金融決済アプリケーションの種別ごとに表示する表示手段とを具備する。
【００１２】
また、本発明のＩＣカードは、前記ポイント還元率検索システムに使用されるもので、搭載された金融決済アプリケーションの種別を示すアプリケーション種別情報および当該金融決済アプリケーションを利用する利用者を特定する個人識別情報を保管する保管手段と、前記店舗端末装置から送信されるアプリケーション種別情報および個人識別情報の送信を要求する要求信号を受信する受信手段と、この受信手段により前記要求信号を受信すると、前記保持手段により保持されているアプリケーション種別情報および個人識別情報を前記店舗端末装置に対し送信する送信手段と、前記保管手段および前記受信手段および前記送信手段を一体的に収納したカード本体とを具備する。
【発明の効果】
【００１３】
本発明によれば、利用する店舗による所有している金融決済アプリケーションのポイント還元率を決済前に把握することができ、きわめて利便性に優れたポイント還元率検索システムおよびそれに用いる携帯電話機およびＩＣカードを提供できる。
【図面の簡単な説明】
【００１４】
【図１】本発明の実施の形態に係るポイント還元率検索システムの構成を概略的に示す模式図。
【図２】携帯電話機の構成を概略的に示すブロック図。
【図３】ＵＳＩＭカードの構成を概略的に示すブロック図。
【図４】非接触ＩＣカードの構成を概略的に示すブロック図。
【図５】接触ＩＣカードの構成を概略的に示すブロック図。
【図６】クレジット端末装置の構成を概略的に示すブロック図。
【図７】ＵＳＩＭカード内のメモリの構成を概略的に示す模式図。
【図８】ＵＳＩＭカード内のメモリのデータ構成例を概略的に示す模式図。
【図９】ＵＳＩＭカード内のメモリのＰＰＳＥ−ＥＦのＦＣＩデータの構成例を概略的に示す図。
【図１０】ポイント還元率検索管理用ホストコンピュータ内のポイント還元率（基本）データベースの構成例を概略的に示す模式図。
【図１１】ポイント還元率検索管理用ホストコンピュータ内のポイント還元率（追加）の変換テーブルの構成例を概略的に示す模式図。
【図１２】アプリ種別情報および個人識別情報の検索処理を説明するフローチャート。
【図１３】第１の実施の形態に係るポイント還元率検索処理の全体の流れを説明するフローチャート。
【図１４】第１の実施の形態に係るポイント還元率検索処理の全体の流れを説明するフローチャート。
【図１５】ポイント還元率検索用の転送データ構成例を概略的に示す図。
【図１６】ポイント還元率検索結果の表示例を示す図。
【図１７】ポイント還元率検索結果をポイント還元率の高い順に表示する表示例を示す図。
【図１８】第２の実施の形態に係るポイント還元率検索処理の全体の流れを説明するフローチャート。
【図１９】第２の実施の形態に係るポイント還元率検索処理の全体の流れを説明するフローチャート。
【図２０】第３の実施の形態に係るポイント還元率検索処理の全体の流れを説明するフローチャート。
【図２１】第３の実施の形態に係るポイント還元率検索処理の全体の流れを説明するフローチャート。
【発明を実施するための形態】
【００１５】
以下、本発明の実施の形態について図面を参照して説明する。  
図１は、本発明の実施の形態に係るポイント還元率検索システムの構成を概略的に示すものである。
【００１６】
なお、以下の説明では、金融決済アプリケーションとしてクレジットカードアプリケーション（以降、単にクレジットアプリケーション、アプリケーションと略称することもある）に適用した場合について説明するが、キャッシュカードアプリケーション、電子マネーアプリケーション、ポイントカードアプリケーション等にも同様に適用可能である。
【００１７】
図１において、本発明の実施の形態に係るポイント還元率検索システムは、利用者が所持する携帯可能電子装置としての携帯電話機１１、同じく利用者が所持する携帯可能電子装置としての非接触ＩＣカード１２、同じく利用者が所持する携帯可能電子装置としての接触ＩＣカード１３、利用者が利用する店舗に設置された店舗端末装置としてのクレジット端末装置１４、携帯電話機１１と無線により通信を行なう携帯電話基地局１５、金融決済会社であるクレジット会社に設置されたホスト装置としてのホストコンピュータ１６、本システムを管理するホスト装置としてのホストコンピュータ１７、これらクレジット端末装置１４、携帯電話基地局１５、ホストコンピュータ１６、および、ホストコンピュータ１７を互いに通信可能に接続する通信手段としての通信回線網１８から構成されている。
【００１８】
携帯電話機１１は、通常の電話機能以外に、ポイント還元率を検索するための端末装置としても用いられるもので、後述するように少なくとも単数、この例では複数の金融決済アプリケーション、たとえば、クレジットアプリケーションが搭載されている。
【００１９】
携帯電話機１１は、たとえば、図２に示すように、携帯電話基地局１５と通信を行なうためのアンテナ１０１、アンテナ１０１から送受信させるための機能を有する電波送受信部１０２、各種データを記憶するためのメモリ１０３、電話番号の表示や各種データを表示するディスプレイ１０４、写真を写すカメラ１０５、電話番号やメール文書（文字）などを入力するキー入力部１０６、これら各機能の動作を制御するＣＰＵ１０７、ＵＳＩＭインタフェース（Ｉ／Ｆ）１０８、このＵＳＩＭインタフェース１０８に着脱されるメモリ媒体であるＵＳＩＭカード１００、および、クレジット端末装置１４の非接触アンテナと無線通信するためにＵＳＩＭインタフェース１０８の２つの端子と接続された非接触ＩＣカード通信用アンテナ１０９から構成されている。
【００２０】
ＵＳＩＭカード１００は、携帯電話機１１の利用料金を支払う人を割り当てるため等に利用されるとともに、クレジット端末装置１４と非接触ＩＣカード通信を行なうための非接触ＩＣード機能をも有している。
【００２１】
ＵＳＩＭカード１００は、たとえば、図３に示すように、携帯電話機１１のＵＳＩＭインタフェース１０８と接続されるＵＳＩＭインタフェース（Ｉ／Ｆ）１１１、ＵＳＩＭインタフェース１１１における２個の端子を利用した非接触ＩＣカード通信用アンテナインタフェース（Ｉ／Ｆ）１１２、ＵＳＩＭインタフェース１１１の各種端子に対する入出力回路１１３、各種アプリケーションやデータ等が保管されるメモリ１１４、各種計算を行なう演算回路１１５、および、これら各機能の動作を制御するＣＰＵ１１６から構成されている。
【００２２】
非接触ＩＣカード１２は、たとえば、公知のクレジットカードとして用いられるもので、図４に示すように、クレジット端末装置１４の非接触ＩＣカード通信用アンテナ１４１と通信するためのアンテナ１２１と、アンテナ１２１による受信電波に基づき電源を生成し各部に動作電圧として供給する電源生成部１２２、アンテナ１２１から送受信される信号の処理を行なう入出力回路１２３、各種アプリケーションやデータ等が保管されるメモリ１２４、各種計算を行なう演算回路１２５、および、これら各機能の動作を制御するＣＰＵ１２６から構成されている。
【００２３】
アンテナ１２１を除く他の各機能部１２２〜１２６は、１つ（あるいは複数）のＩＣチップで構成され、さらに、このＩＣチップと送受信アンテナ部１２１とが電気的に接続された状態で一体化されてＩＣモジュールとされ、このＩＣモジュールがＩＣカード本体内に収納（埋設）されている。
【００２４】
接触ＩＣカード１３は、これも、たとえば、公知のクレジットカードとして用いられるもので、図５に示すように、クレジット端末装置１４の接触ＩＣカード通信用インタフェース１４２と通信するためのＩＣカードインタフェース（Ｉ／Ｆ）１３１、ＩＣカードインタフェース１３１から送受信される信号の処理を行なう入出力回路１３２、各種アプリケーションやデータ等が保管されるメモリ１３３、各種計算を行なう演算回路１３４、および、これら各機能の動作を制御するＣＰＵ１３５から構成されている。
【００２５】
ＩＣカードインタフェース１３１を除く他の各機能部１３２〜１３５は、１つ（あるいは複数）のＩＣチップで構成され、さらに、このＩＣチップとＩＣカードインタフェース１３１とが電気的に接続された状態で一体化されてＩＣモジュールとされ、このＩＣモジュールがＩＣカード本体内に収納（埋設）されている。
【００２６】
なお、ＵＳＩＭカード１００の各種端子、非接触ＩＣカード１２や接触ＩＣカード１３の機能等は、ＩＳＯ／ＩＥＣ７８１０やＩＳＯ／ＩＥＣ１４４４３の規格に準拠している。
【００２７】
クレジット端末装置１４は、利用者が利用する店舗に設置され、利用者の物品購入時に携帯電話機１１や非接触ＩＣカード１２、接触ＩＣカード１３と通信することによりクレジットアプリケーションの決済処理（クレジット取引処理）等を行なうもので、たとえば、図６に示すように、非接触ＩＣカード１２と通信するための非接触ＩＣカードインタフェース（Ｉ／Ｆ）１４１、接触ＩＣカード１３と通信するための接触ＩＣカードインタフェース（Ｉ／Ｆ）１４２、接触ＩＣカード１３上の磁気テープを読取る磁気テープリーダ１４３、各種データ等を表示するディスプレイ１４４、各種操作を行なうキー入力部１４５、レシート等をプリントアウトするプリンタ１４６、各種データを記憶するためのメモリ１４７、通信回線網１８を介してホストコンピュータ１６，１７と通信を行なうための通信制御部１４８、および、これら各機能の動作を制御するＣＰＵ１４９から構成されている。
【００２８】
図７は、ＵＳＩＭカード１００におけるメモリ１１４の具体的な構成例を示している。メモリ１１４は、当該カードのＯＳ（オペレーティングシステム）１１４ａ上に、各種クレジットやポイントアプリケーションのプログラムやデータが格納される領域１１４ｂ，１１４ｃ、当該カード内の制御に用いるシステム等が格納されるシステム領域１１４ｄ、後述するポイント還元率検索ソフトのプログラムやデータが格納される領域１１４ｅ，１１４ｆなどが設けられた構成になっている。
【００２９】
メモリ１１４内のデータ構成は、クレジットアプリケーションに関してはＥＭＶ（Integrated Circuit Card Specifications for Payment Systems）Ｃｏ．という団体が発行しているＥＭＶ規格に準拠しており、図８、図９（ａ）に示す通りに構成されている。
【００３０】
図８において、１７１はマスタファイル（ＭＦ）、１７２はＰＰＳＥ−ＥＦ（Proximity Payment Systems Environment−ＥＦ（エレメンタリファイル））、１７３，…は各クレジットアプリケーションごとのＤＦ（Dedicated File）、１７４，…は各ＤＦ１７３，…内に格納されたＰＡＮ（Primary Account Number）というクレジット番号（個人識別情報）を示している。
【００３１】
なお、非接触ＩＣカード１２のメモリ１２４内のデータ構成も、図８と同様に構成されている。  
また、接触ＩＣカード１３のメモリ１３３内のデータ構成も、基本的には図８と同様なものであるが、「ＰＰＳＥ−ＥＦ」が「ＰＳＥ−ＥＦ」となる。
【００３２】
図９（ａ）は、ＰＰＳＥ−ＥＦ１７２内のＦＣＩ（File Control Information）データを示しており、１８１はＦＣＩヘッダ、１８２はＵＳＩＭカード１００内に発行されているクレジットアプリケーションの名前（ＤＦネーム（Ｎａｍｅ）、アプリ種別情報）、１８３はクレジットアプリケーションのラベル、１８４はカード発行者の自由特記エリアである。
【００３３】
ホストコンピュータ１６は、本ポイント還元率検索システムを管理するもので、携帯電話基地局１５を介して携帯電話機１１から送られるポイント還元率の検索要求、あるいは、クレジット端末装置１４から送られるポイント還元率の検索要求を受取ると、各クレジット会社のホストコンピュータ１７に対し検索要求を送ることで、各クレジットアプリケーションごとのポイント還元率を取得し、携帯電話機１１あるいはクレジット端末装置１４へ返信するものである。
【００３４】
ホストコンピュータ１７は、クレジット会社に設置されていて、クレジット端末装置１４と通信することによりクレジットアプリケーションの利用に伴うクレジット決済処理を（クレジット取引処理）行なうとともに、クレジットアプリケーションの利用によって発生するポイントを店舗での利用額に応じて当該クレジットアプリケーションに対して還元する処理、および、還元するポイントの還元率を検索する処理を行なうもので、たとえば、図１０に示すようなポイント還元率（基本）データベースおよび図１１に示すようなポイント還元率（追加）の変換テーブルを有している。
【００３５】
図１０のポイント還元率（基本）データベースは、たとえば、各個人識別情報（ＰＡＮ）ごとにカードタイプ（アプリ種別情報）、有効期限、および、ポイント還元率（基本）が格納されている。  
図１１のポイント還元率（追加）の変換テーブルは、たとえば、各店舗情報ごとにカードタイプ（アプリ種別情報）、および、ポイント還元率（追加）が格納されている。
【００３６】
ホストコンピュータ１７は、図１０のポイント還元率（基本）データベースおよび図１１のポイント還元率（追加）の変換テーブルを参照することによりポイント還元率を検索するもので、以下、その具体例を説明する。
【００３７】
ホストコンピュータ１７は、ホストコンピュータ１６から、アプリ種別情報と個人識別情報と店舗情報とともにポイント還元率検索の要求コマンドを受取ると、まず、図１１のポイント還元率（追加）の変換テーブルを参照することにより、個人識別情報からカードタイプや基本のポイント還元率（基本）を検索する。
【００３８】
次に、図１１のポイント還元率（追加）の変換テーブルを参照することにより、店舗情報とカードタイプから、カードタイプによる店舗における追加のポイント還元率（追加）を検索し、先に検索したポイント還元率（基本）にポイント還元率（追加）を加算させることで、最終的なポイント還元率を計算する。
【００３９】
図１０および図１１に示される具体例で説明すると、個人識別情報「０００００００００００００００４」のクレジットカード（クレジットアプリケーション）を、店舗情報が「００００１」の店舗にて利用する場合のポイント還元率の計算例は、
ポイント還元率＝ポイント還元率（基本）＋ポイント還元率（追加）  
＝０．５＋４．５  
＝５．０［％］  
となる。
【００４０】
なお、追加のポイント還元率（追加）は、たとえば、クレジット決済の日時によりポイント増大日等のキャンペーンがあった場合に、別途加算させることが可能である。  
また、ホストコンピュータ１７におけるポイント還元率の検索方法は、上記した例に限定されるものではなく、他の方法であってもよい。
【００４１】
さらに、たとえば、図１１のポイント還元率（追加）の変換テーブル内の備考欄に、各店舗情報ごとにカードタイプ（アプリ種別情報）別に当該店舗の割引セールやキャッシュバックセール等のキャンペーン情報（ポイント還元率以外の情報）を格納しておき、求めたポイント還元率とともに対応するキャンペーン情報をポイント還元率の要求元（携帯電話機１１やクレジット端末装置１４）に返信するようにしてもよい。
【００４２】
以上のような構成において、本発明の実施の形態に係るポイント還元率検索ソフトのダウンロードについて説明する。
【００４３】
携帯電話機１１がポイント還元率を検索するためには、ポイント還元率検索ソフトが必要になる。たとえば、携帯電話機１１から本システムを管理しているホストコンピュータ１６に対しアクセスして、ポイント還元率検索ソフトを携帯電話機１１にダウンロードする。
【００４４】
ダウンロードされたポイント還元率検索ソフトは、携帯電話機１１内のメモリ１０３あるいは携帯電話機１１内に装着されているＵＳＩＭカード１００のメモリ１１４に格納される。
【００４５】
なお、本システムを管理しているホストコンピュータ１６は、各クレジットカード会社へポイント還元率を調査するため、本実施の形態のようにクレジット会社のホストコンピュータ１７とは別にした方がよいが、必ずしも管理用のホストコンピュータ１６を設置する必要はなく、必要に応じてクレジット会社のホストコンピュータ１７を流用しても構わない。
【００４６】
次に、本発明の実施の形態に係るクレジットアプリケーションのアプリケーション種別情報（ＤＦネーム）と個人識別情報（ＰＡＮ）の検索機能について説明する。
【００４７】
ＵＳＩＭカード１００には、上記したように、各クレジットアプリケーションごとに分かれているＤＦ１７３以外に、ＵＳＩＭカード１００内に発行されているクレジットアプリケーションの名前（ＤＦネーム）や属性を一括して把握できるＰＰＳＥ−ＥＦ１７２というエリアがある。ＰＰＳＥ−ＥＦ１７２は、読取りにいくと、ＦＣＩデータを出力する。ＦＣＩデータの構成は、図９（ａ）に示した通りであり、ＤＦネーム（Ｎａｍｅ）を読むことで、「アプリ識別情報」の入手が可能となる。
【００４８】
また、上記したように、前記ＥＭＶ規格に準拠したクレジットアプリケーションは、各アプリケーションごとのＤＦ１７３内にＰＡＮ（クレジット番号）１７４が書込まれており、このＰＡＮ１７４が各アプリケーションに対する「個人識別情報」となる。
【００４９】
以下、アプリケーション種別情報（以降、単にアプリ種別情報と略称することもある）と個人識別情報の検索機能の具体例について、図１２に示すフローチャートを参照して説明する。
【００５０】
ポイント還元率検索ソフトは、携帯電話機１１のＵＳＩＭカード１００に対して、ＩＳＯ／ＩＥＣ７８１６準拠のコマンドにより下記の処理を行なう。  
まず、ＵＳＩＭカード１００に対しセレクト（ＳＥＬＥＣＴ）コマンドを送ることにより、ＰＰＳＥ−ＥＦ１７２内のＦＣＩデータを読出す。読出した内容から、搭載（発行）している全てのクレジットアプリケーションのＤＦネームがわかる。すなわち、アプリ識別情報が判明することになる。
【００５１】
たとえば、クレジットアプリケーションが３種あることが判明した場合、まず、ＵＳＩＭカード１００に対しアプリ１セレクトコマンドを送ることにより、アプリケーション１を選択する。
【００５２】
次に、ＵＳＩＭカード１００に対しＧＥＴ  ＰＲＯＣＥＳＳＩＮＧ  ＯＰＴＩＯＮコマンドを送ることにより、ＡＦＬ（アプリケーション内の所定データの保管場所等が発行）を取得する。次に、取得したＡＦＬにより各アプリケーションのＰＡＮ（カード番号）のある場所（レコード）を取得する。
【００５３】
次に、ＵＳＩＭカード１００に対しＲｅａｄ  Ｒｅｃｏｒｄコマンドを送ることにより、ＰＡＮの保管場所を指定し、アプリケーション１の個人識別情報となるＰＡＮを取得する。
【００５４】
次に、アプリケーション２とアプリケーション３に対して、上記同様な手順を繰り返すことにより、各アプリケーションのＰＡＮを取得する。
【００５５】
次に、本発明の実施の形態に係るクレジットアプリケーションのアプリ種別情報（ＤＦネーム）と個人識別情報（ＰＡＮ）の保管機能について説明する。
【００５６】
図１２に示したアプリ識別情報（ＤＦネーム）と個人識別情報（ＰＡＮ）の検索処理を、店舗で物品を購入する前に毎回実施すると処理時間がかかるため、図９（ｂ）に示すように、各アプリケーションの個人識別情報（ＰＡＮ）の検索結果を、図９（ａ）に示したＰＰＳＥ−ＥＦ１７２内のＦＣＩデータにおけるカード発行者の自由特記エリア１８４に書込んでおけば、１度ＰＰＳＥ−ＥＦ１７２を読出し（セレクト）するだけで、アプリ識別情報（ＤＦネーム）と個人識別情報（ＰＡＮ）の検索をすることも可能である。
【００５７】
クレジットアプリケーションのアプリ種別情報（ＤＦネーム）と個人識別情報（ＰＡＮ）は、図８に示したように、ＰＰＳＥ−ＥＦ１７２内に保管されるが、実際には図７に示したように、メモリ１１４のシステム領域１１４ａに保管される。ただし、ポイント還元率検索ソフトのデータが格納される領域１１４ｅに保管することでも構わない。
【００５８】
次に、本発明の実施の形態に係る店舗情報の入手機能について説明する。  
店舗情報を入手する方法として３つの例を以下に説明するが、これらに限定されるものではない。  
（１）携帯電話機１１からクレジット端末装置１４に対し、非接触ＩＣカード通信により店舗情報の要求コマンドを送信することにより、クレジット端末装置１４から店舗情報を取得する。  
（２）携帯電話機１１のカメラ１０５により、物品を購入する店舗の壁等にあらかじめバーコードで記載されている店舗情報を読取ることにより取得する。  
（３）携帯電話機１１の所持者自らが、店舗の壁等にあらかじめ貼付してある店舗情報をキー入力部１０６で入力する、あるいは、携帯電話機１１のウェブ（Ｗｅｂ）から、買い物する店舗の店舗情報を検索して取得する。
【００５９】
以上のような構成において、本発明の実施の形態に係るポイント還元率検索処理の全体の流れについて説明する。  
ポイント還元率の検索目的は、たとえば、店舗で買い物をするとき、利用者（購入者）は所持する携帯電話機１１に複数のクレジットアプリケーションを搭載しているため、今回購入する店舗で最もポイント還元率が高いクレジットアプリケーションを見出したいために行なうものである。
【００６０】
まず、第１の実施の形態に係るポイント還元率検索処理の全体の流れについて、図１３および図１４に示すフローチャートを参照して説明する。  
第１の実施の形態に係るポイント還元率の検索は、店舗で物品を購入する前に、携帯電話機１１から直接ポイント還元率検索システム管理用のホストコンピュータ１６に対しポイント還元率の検索要求を送ることにより、ポイント還元率を取得して携帯電話機１１に表示するものである。
【００６１】
利用者は、店舗で物品を購入する前に、携帯電話機１１に搭載（発行）されているクレジットアプリケーションの種類、すなわち、アプリ識別情報と各アプリケーションごとの個人を特定する個人識別情報を、前述した機能により、携帯電話機１１にロードされているポイント還元率検索ソフトを使って検索し、携帯電話機１１内に保管する（ステップＳ１，Ｓ２）。
【００６２】
ただし、既に最新のアプリ識別情報および個人識別情報が携帯電話機１１内のＰＰＳＥ−ＥＦ１７２に保管されている場合は、保管されている情報を読出す例えばセレクトＰＰＳＥコマンドを実施するだけでも構わない。それぞれのクレジットアプリケーションのクレジット会社へＰＡＮ情報を毎回検索していると処理時間が要するため、新規のクレジットアプリケーションがなく、かつ、既にアプリ識別情報および個人識別情報が保管されている場合は、処理時間の短縮が図れる。
【００６３】
次に、物品を購入する場合、携帯電話機１１は、前述した機能により、店舗から店舗情報を取得する（ステップＳ３，Ｓ４，Ｓ５）。すなわち、たとえば、クレジット端末装置１４に対し、非接触ＩＣカード通信により店舗情報の要求コマンドを送信することにより、クレジット端末装置１４から店舗情報を取得する。
【００６４】
次に、携帯電話機１１は、取得したアプリ識別情報、個人識別情報、店舗情報を図１５に示すような転送データに整理し（ステップＳ６）、この整理した図１５の転送データとともに、当該店舗における所有アプリケーション別のポイント還元率の検索を要求する要求コマンド（要求信号）を携帯電話基地局１５を介してポイント還元率検索システム管理用のホストコンピュータ１６へ送る（ステップＳ７）。
【００６５】
ホストコンピュータ１６は、ポイント還元率検索の要求コマンドを受取ると、各アプリケーションのクレジット会社のホストコンピュータ１７に対し、ポイント還元率検索の要求コマンドを送ることにより、店舗における各アプリケーション別のポイント還元率を検索する。
【００６６】
すなわち、前述した例と同様に、たとえば、クレジットアプリケーションが３種ある場合、ホストコンピュータ１６は、まず、アプリケーション１のクレジット会社のホストコンピュータ１７に対し、ホストコンピュータ１６から受取ったアプリ識別情報、個人識別情報、店舗情報とともにポイント還元率検索の要求コマンドを送る（ステップＳ８）。
【００６７】
ホストコンピュータ１７は、ポイント還元率検索の要求コマンドを受取ると、前述した機能により、店舗情報で指定された店舗におけるアプリケーション１のポイント還元率を検索する（ステップＳ９）。
【００６８】
すなわち、ホストコンピュータ１７は、前述したように、図１０のポイント還元率（基本）データベースおよび図１１のポイント還元率（追加）の変換テーブルを参照することによりアプリケーション１のポイント還元率を検索する。
【００６９】
次に、ホストコンピュータ１７は、検索した指定店舗におけるアプリケーション１のポイント還元率をホストコンピュータ１６へ送る（ステップＳ１０）。
【００７０】
同様に、所有アプリケーションの全て、この例では残りのアプリケーション２，３に対し、ステップＳ８〜Ｓ１０の処理を繰り返す。
【００７１】
ホストコンピュータ１６は、指定店舗における各アプリケーション別のポイント還元率をホストコンピュータ１７から受取ると、指定店舗における各アプリケーション別のポイント還元率を整理し（ステップＳ１１）、この整理した指定店舗における各アプリケーション別のポイント還元率を、携帯電話基地局１５を介して携帯電話機１１へ送る（ステップＳ１２）。
【００７２】
携帯電話機１１は、指定店舗における各アプリケーション別のポイント還元率をホストコンピュータ１６から受取ると、それを図１６に示すようにディスプレイ１０４に表示する（ステップＳ１３）。
【００７３】
なお、携帯電話機１１のディスプレイ１０４に表示する内容を、取得した店舗における各アプリケーション別のポイント還元率を高い順番に表示することが必要な場合は、図１７に示すように、ポイント還元率の高い順番に表示するようにしてもよい。
【００７４】
また、前述したように、たとえば、図１１のポイント還元率（追加）の変換テーブル内の備考欄にキャンペーン情報が格納されている場合、検索したポイント還元率とともに対応するキャンペーン情報を図１６の備考欄に表示するようにしてもよい。
【００７５】
次に、携帯電話機１１では、ディスプレイ１０４に表示された店舗における各アプリケーション別のポイント還元率から、今回のクレジット取引（クレジット決済処理）に使用するクレジットアプリケーションを選択する（ステップＳ１４）。
【００７６】
クレジットアプリケーションの選択方法として３つの例を以下に説明するが、これらに限定されるものではない。  
（１）携帯電話機１１の所持者自らがキー入力部１０６におけるキー操作により選択する。  
（２）携帯電話機１１が表示されたポイント還元率のうち最も高いポイント還元率のクレジットアプリケーションを自動的に選択する。  
（３）携帯電話機１１が各アプリケーション別のポイント還元率を表示してから、あらかじめ定められた所定時間を経過すると、最も高いポイント還元率のクレジットアプリケーションを自動的に選択する。
【００７７】
クレジットアプリケーションが選択されると、携帯電話機１１は、選択されたクレジットアプリケーションを使用することを非接触ＩＣカード通信によりクレジット端末装置１４へ通知する（ステップＳ１５）。
【００７８】
クレジット端末装置１４は、選択されたクレジットアプリケーションに対してクレジット取引処理を開始し（ステップＳ１６）、通常のクレジット取引処理と同様に、携帯電話機１１およびクレジット会社のホストコンピュータ１７と通信を行なうことでクレジット取引処理（クレジット決済処理）を行なう。
【００７９】
次に、第２の実施の形態に係るポイント還元率検索処理の全体の流れについて、図１８および図１９に示すフローチャートを参照して説明する。  
第２の実施の形態に係るポイント還元率の検索は、店舗で物品を購入する前に、携帯電話機１１とクレジット端末装置１４とで通信し、クレジット端末装置１４からポイント還元率検索システム管理用のホストコンピュータ１６に対しポイント還元率の検索要求を送ることにより、ポイント還元率を取得してクレジット端末装置１４に表示するものである。
【００８０】
利用者は、店舗で物品を購入する前に、携帯電話機１１に搭載（発行）されているクレジットアプリケーションの種類、すなわち、アプリ識別情報と各アプリケーションごとの個人を特定する個人識別情報を、前述した機能により、携帯電話機１１にロードされているポイント還元率検索ソフトを使って検索し、携帯電話機１１内に保管する（ステップＳ２１，Ｓ２２）。
【００８１】
ただし、この場合も、既に最新のアプリ識別情報および個人識別情報が携帯電話機１１内のＰＰＳＥ−ＥＦ１７２に保管されている場合は、保管されている情報を読出す例えばセレクトＰＰＳＥコマンドを実施するだけでも構わない。それぞれのクレジットアプリケーションのクレジット会社へＰＡＮ情報を毎回検索していると処理時間が要するため、新規のクレジットアプリケーションがなく、かつ、既にアプリ識別情報および個人識別情報が保管されている場合は、処理時間の短縮が図れる。
【００８２】
次に、物品を購入する場合、クレジット端末装置１４から携帯電話機１１に対し、非接触ＩＣカード通信によりアプリ識別情報と個人識別情報の要求コマンドを送信することにより、携帯電話機１１からアプリ識別情報および個人識別情報を取得する（ステップＳ２３，Ｓ２４，Ｓ２５）。
【００８３】
次に、クレジット端末装置１４は、取得したアプリ識別情報、個人識別情報、自身の店舗情報を図１５に示すような転送データに整理し（ステップＳ２６）、この整理した図１５の転送データとともに、当該店舗における所有アプリケーション別のポイント還元率の検索を要求する要求コマンド（要求信号）をポイント還元率検索システム管理用のホストコンピュータ１６へ送る（ステップＳ２７）。
【００８４】
ホストコンピュータ１６は、ポイント還元率検索の要求コマンドを受取ると、各アプリケーションのクレジット会社のホストコンピュータ１７に対し、ポイント還元率検索の要求コマンドを送ることにより、店舗における各アプリケーション別のポイント還元率を検索する。
【００８５】
すなわち、前述した例と同様に、たとえば、クレジットアプリケーションが３種ある場合、ホストコンピュータ１６は、まず、アプリケーション１のクレジット会社のホストコンピュータ１７に対し、ホストコンピュータ１６から受取ったアプリ識別情報、個人識別情報、店舗情報とともにポイント還元率検索の要求コマンドを送る（ステップＳ２８）。
【００８６】
ホストコンピュータ１７は、ポイント還元率検索の要求コマンドを受取ると、前述した機能により、店舗情報で指定された店舗におけるアプリケーション１のポイント還元率を検索する（ステップＳ２９）。
【００８７】
すなわち、ホストコンピュータ１７は、前述したように、図１０のポイント還元率（基本）データベースおよび図１１のポイント還元率（追加）の変換テーブルを参照することによりアプリケーション１のポイント還元率を検索する。
【００８８】
次に、ホストコンピュータ１７は、検索した指定店舗におけるアプリケーション１のポイント還元率をホストコンピュータ１６へ送る（ステップＳ３０）。
【００８９】
同様に、所有アプリケーションの全て、この例では残りのアプリケーション２，３に対し、ステップＳ２８〜Ｓ３０の処理を繰り返す。
【００９０】
ホストコンピュータ１６は、指定店舗における各アプリケーション別のポイント還元率をホストコンピュータ１７から受取ると、指定店舗における各アプリケーション別のポイント還元率を整理し（ステップＳ３１）、この整理した指定店舗における各アプリケーション別のポイント還元率を、クレジット端末装置１４へ送る（ステップＳ３２）。
【００９１】
クレジット端末装置１４は、指定店舗における各アプリケーション別のポイント還元率をホストコンピュータ１６から受取ると、それを図１６に示すようにディスプレイ１４４に表示する（ステップＳ３３）。
【００９２】
なお、クレジット端末装置１４のディスプレイ１４４に表示する内容を、取得した店舗における各アプリケーション別のポイント還元率を高い順番に表示することが必要な場合は、図１７に示すように、ポイント還元率の高い順番に表示するようにしてもよい。
【００９３】
また、この場合、ホストコンピュータ１６から受取った指定店舗における各アプリケーション別のポイント還元率を、クレジット端末装置１４から非接触ＩＣカード通信により携帯電話機１１へ送ることにより、携帯電話機１１のディスプレイ１０４にも表示するようにしてもよい。
【００９４】
さらに、この場合も、たとえば、図１１のポイント還元率（追加）の変換テーブル内の備考欄にキャンペーン情報が格納されている場合、検索したポイント還元率とともに対応するキャンペーン情報を図１６の備考欄に表示するようにしてもよい。
【００９５】
次に、クレジット端末装置１４では、ディスプレイ１４４に表示された店舗における各アプリケーション別のポイント還元率から、今回のクレジット取引（クレジット決済処理）に使用するクレジットアプリケーションを選択する（ステップＳ３４）。
【００９６】
クレジットアプリケーションの選択方法として３つの例を以下に説明するが、これらに限定されるものではない。  
（１）クレジット端末装置１４において、オペレータがキー入力部１４５のキー操作により選択する。  
（２）クレジット端末装置１４が表示されたポイント還元率のうち最も高いポイント還元率のクレジットアプリケーションを自動的に選択する。  
（３）クレジット端末装置１４が各アプリケーション別のポイント還元率を表示してから、あらかじめ定められた所定時間を経過すると、最も高いポイント還元率のクレジットアプリケーションを自動的に選択する。
【００９７】
クレジットアプリケーションが選択されると、クレジット端末装置１４は、選択されたクレジットアプリケーションに対してクレジット取引処理を開始し（ステップＳ３５）、通常のクレジット取引処理と同様に、携帯電話機１１およびクレジット会社のホストコンピュータ１７と通信を行なうことでクレジット取引処理（クレジット決済処理）を行なう。
【００９８】
次に、第３の実施の形態に係るポイント還元率検索処理の全体の流れについて、図２０および図２１に示すフローチャートを参照して説明する。  
第３の実施の形態に係るポイント還元率の検索は、携帯電話機１１、非接触ＩＣカード１２、あるいは接触ＩＣカード１３を携帯可能電子装置として用い、携帯可能電子装置内のメモリに最新のアプリ識別情報および個人識別情報が格納されている場合で、店舗で物品を購入する前に、携帯可能電子装置とクレジット端末装置１４とで通信し、クレジット端末装置１４からポイント還元率検索システム管理用のホストコンピュータ１６に対しポイント還元率の検索要求を送ることにより、ポイント還元率を取得してクレジット端末装置１４に表示するものである。
【００９９】
なお、以下の説明では、一例として携帯可能電子装置が非接触ＩＣカード１２で、そのメモリ１２４内に最新のアプリ識別情報および個人識別情報が格納されている場合について説明するが、携帯電話機１１、接触ＩＣカード１３を用いた場合も同様である。
【０１００】
利用者が店舗で物品を購入する場合、クレジット端末装置１４から非接触ＩＣカード１２に対し、非接触ＩＣカード通信によりアプリ識別情報と個人識別情報の要求コマンドを送信することにより、非接触ＩＣカード１２からアプリ識別情報および個人識別情報を取得する（ステップＳ４１，Ｓ４２，Ｓ４３）。
【０１０１】
次に、クレジット端末装置１４は、取得したアプリ識別情報、個人識別情報、自身の店舗情報を図１５に示すような転送データに整理し（ステップＳ４４）、この整理した図１５の転送データとともに、当該店舗における所有アプリケーション別のポイント還元率の検索を要求する要求コマンド（要求信号）をポイント還元率検索システム管理用のホストコンピュータ１６へ送る（ステップＳ４５）。
【０１０２】
ホストコンピュータ１６は、ポイント還元率検索の要求コマンドを受取ると、各アプリケーションのクレジット会社のホストコンピュータ１７に対し、ポイント還元率検索の要求コマンドを送ることにより、店舗における各アプリケーション別のポイント還元率を検索する。
【０１０３】
すなわち、前述した例と同様に、たとえば、クレジットアプリケーションが３種ある場合、ホストコンピュータ１６は、まず、アプリケーション１のクレジット会社のホストコンピュータ１７に対し、ホストコンピュータ１６から受取ったアプリ識別情報、個人識別情報、店舗情報とともにポイント還元率検索の要求コマンドを送る（ステップＳ４６）。
【０１０４】
ホストコンピュータ１７は、ポイント還元率検索の要求コマンドを受取ると、前述した機能により、店舗情報で指定された店舗におけるアプリケーション１のポイント還元率を検索する（ステップＳ４７）。
【０１０５】
すなわち、ホストコンピュータ１７は、前述したように、図１０のポイント還元率（基本）データベースおよび図１１のポイント還元率（追加）の変換テーブルを参照することによりアプリケーション１のポイント還元率を検索する。
【０１０６】
次に、ホストコンピュータ１７は、検索した指定店舗におけるアプリケーション１のポイント還元率をホストコンピュータ１６へ送る（ステップＳ４８）。
【０１０７】
同様に、所有アプリケーションの全て、この例では残りのアプリケーション２，３に対し、ステップＳ４６〜Ｓ４８の処理を繰り返す。
【０１０８】
ホストコンピュータ１６は、指定店舗における各アプリケーション別のポイント還元率をホストコンピュータ１７から受取ると、指定店舗における各アプリケーション別のポイント還元率を整理し（ステップＳ４９）、この整理した指定店舗における各アプリケーション別のポイント還元率を、クレジット端末装置１４へ送る（ステップＳ５０）。
【０１０９】
クレジット端末装置１４は、指定店舗における各アプリケーション別のポイント還元率をホストコンピュータ１６から受取ると、それを図１６に示すようにディスプレイ１４４に表示する（ステップＳ５１）。
【０１１０】
なお、クレジット端末装置１４のディスプレイ１４４に表示する内容を、取得した店舗における各アプリケーション別のポイント還元率を高い順番に表示することが必要な場合は、図１７に示すように、ポイント還元率の高い順番に表示するようにしてもよい。
【０１１１】
次に、クレジット端末装置１４では、ディスプレイ１４４に表示された店舗における各アプリケーション別のポイント還元率から、今回のクレジット取引（クレジット決済処理）に使用するクレジットアプリケーションを選択する（ステップＳ５２）。
【０１１２】
クレジットアプリケーションの選択方法として３つの例を以下に説明するが、これらに限定されるものではない。  
（１）クレジット端末装置１４において、オペレータがキー入力部１４５のキー操作により選択する。  
（２）クレジット端末装置１４が表示されたポイント還元率のうち最も高いポイント還元率のクレジットアプリケーションを自動的に選択する。  
（３）クレジット端末装置１４が各アプリケーション別のポイント還元率を表示してから、あらかじめ定められた所定時間を経過すると、最も高いポイント還元率のクレジットアプリケーションを自動的に選択する。
【０１１３】
クレジットアプリケーションが選択されると、クレジット端末装置１４は、選択されたクレジットアプリケーションに対してクレジット取引処理を開始し（ステップＳ５３）、通常のクレジット取引処理と同様に、非接触ＩＣカード１２およびクレジット会社のホストコンピュータ１７と通信を行なうことでクレジット取引処理（クレジット決済処理）を行なう。
以下に本件出願当初の特許請求の範囲に記載された発明を付記する。
［１］
利用者が所持し、少なくとも単数の金融決済アプリケーションが搭載されている携帯電話機と、利用者が利用する店舗に設置され、利用者の物品購入時に前記携帯電話機と通信することにより金融決済アプリケーションの処理を行なう店舗端末装置と、金融決済会社に設置され、前記店舗端末装置と通信することにより金融決済アプリケーションの利用に伴う金融決済処理を行なうとともに、金融決済アプリケーションの利用によって発生するポイントを店舗での利用額に応じて当該金融決済アプリケーションに対して還元する処理を行なうホスト装置と、これら携帯電話機と店舗端末装置とホスト装置とを互いに通信可能に接続する通信手段とを有し、
前記携帯電話機は、
搭載された金融決済アプリケーションの種別を示すアプリケーション種別情報および当該金融決済アプリケーションを利用する利用者を特定する個人識別情報を保管する保管手段と、
前記店舗端末装置に対し当該店舗端末装置が設置されている店舗を特定する店舗情報の送信を要求する要求信号を送信する第１の送信手段とを具備し、
前記店舗端末装置は、
前記携帯電話機の第１の送信手段により送信される前記要求信号を受信する第１の受信手段と、
この第１の受信手段により前記要求信号を受信すると、前記携帯電話機に対し前記店舗情報を送信する第２の送信手段とを具備し、
前記携帯電話機は、
前記店舗端末装置の第２の送信手段により送信される店舗情報を受信する第２の受信手段と、
この第２の受信手段により店舗情報を受信すると、当該店舗情報および前記保持手段により保持されているアプリケーション種別情報および個人識別情報とともにポイント還元率の検索を要求する要求信号を前記ホスト装置に対し送信する第３の送信手段とを具備し、
前記ホスト装置は、
前記携帯電話機の第３の送信手段により送信される前記要求信号および店舗情報およびアプリケーション種別情報および個人識別情報を受信する第３の受信手段と、
この第３の受信手段により前記要求信号を受信すると、前記第３の受信手段により受信した個人識別情報の利用者の、前記第３の受信手段により受信した店舗情報の店舗における、前記第３の受信手段により受信したアプリケーション種別情報の金融決済アプリケーションに対して還元するポイントの還元率を金融決済アプリケーションの種別ごとに検索する検索手段と、
この検索手段により検索された金融決済アプリケーション種別ごとのポイント還元率を前記携帯電話機に対し送信する第４の送信手段とを具備し、
前記携帯電話機は、
前記ホスト装置の第４の送信手段により送信される金融決済アプリケーション種別ごとのポイント還元率を受信する第４の受信手段と、
この第４の受信手段により受信された金融決済アプリケーション種別ごとのポイント還元率を表示する表示手段とを具備したことを特徴とするポイント還元率検索システム。
［２］
前記携帯電話機は、前記第４の受信手段により受信された金融決済アプリケーション種別ごとのポイント還元率を、ポイント還元率が高い金融決済アプリケーションの順番に前記表示手段に表示することを特徴とする［１］記載のポイント還元率検索システム。
［３］
前記携帯電話機は、前記第４の受信手段により受信された金融決済アプリケーション種別ごとのポイント還元率のうち最も高いポイント還元率の金融決済アプリケーションを自動的に選択して前記店舗端末装置との取引に使用することを特徴とする［１］記載のポイント還元率検索システム。
［４］
前記携帯電話機は、前記第４の受信手段により受信された金融決済アプリケーション種別ごとのポイント還元率を、ポイント還元率が高い金融決済アプリケーションの順番に前記表示手段に表示し、あらかじめ定められた所定時間を経過すると、最も高いポイント還元率の金融決済アプリケーションを自動的に選択して前記店舗端末装置との取引に使用することを特徴とする［１］または［２］記載のポイント還元率検索システム。
［５］
利用者が所持し、少なくとも単数の金融決済アプリケーションが搭載されている携帯可能電子装置と、利用者が利用する店舗に設置され、利用者の物品購入時に前記携帯可能電子装置と通信することにより金融決済アプリケーションの処理を行なう店舗端末装置と、金融決済会社に設置され、前記店舗端末装置と通信することにより金融決済アプリケーションの利用に伴う金融決済処理を行なうとともに、金融決済アプリケーションの利用によって発生するポイントを店舗での利用額に応じて当該金融決済アプリケーションに対して還元する処理を行なうホスト装置と、これら店舗端末装置とホスト装置とを互いに通信可能に接続する通信手段とを有し、
前記店舗端末装置は、
前記携帯可能電子装置に対しアプリケーション種別情報および個人識別情報の送信を要求する要求信号を送信する第１の送信手段を具備し、
前記携帯可能電子装置は、
搭載された金融決済アプリケーションの種別を示すアプリケーション種別情報および当該金融決済アプリケーションを利用する利用者を特定する個人識別情報を保管する保管手段と、
前記店舗端末装置の第１の送信手段により送信される前記要求信号を受信する第１の受信手段と、
この第１の受信手段により前記要求信号を受信すると、前記保持手段により保持されているアプリケーション種別情報および個人識別情報を前記店舗端末装置に対し送信する第２の送信手段とを具備し、
前記店舗端末装置は、
前記携帯可能電子装置の第２の送信手段により送信されるアプリケーション種別情報および個人識別情報を受信する第２の受信手段と、
この第２の受信手段によりアプリケーション種別情報および個人識別情報を受信すると、当該店舗端末装置が設置されている店舗を特定する店舗情報および前記第２の受信手段により受信したアプリケーション種別情報および個人識別情報とともにポイント還元率の検索を要求する要求信号を前記ホスト装置に対し送信する第３の送信手段とを具備し、
前記ホスト装置は、
前記店舗端末装置の第３の送信手段により送信される前記要求信号および店舗情報およびアプリケーション種別情報および個人識別情報を受信する第３の受信手段と、
この第３の受信手段により前記要求信号を受信すると、前記第３の受信手段により受信した個人識別情報の利用者の、前記第３の受信手段により受信した店舗情報の店舗における、前記第３の受信手段により受信したアプリケーション種別情報の金融決済アプリケーションに対して還元するポイントの還元率を金融決済アプリケーションの種別ごとに検索する検索手段と、
この検索手段により検索された金融決済アプリケーション種別ごとのポイント還元率を前記店舗端末装置に対し送信する第４の送信手段とを具備し、
前記店舗端末装置は、
前記ホスト装置の第４の送信手段により送信される金融決済アプリケーション種別ごとのポイント還元率を受信する第４の受信手段と、
この第４の受信手段により受信された金融決済アプリケーション種別ごとのポイント還元率を表示する表示手段とを具備したことを特徴とするポイント還元率検索システム。
［６］
前記店舗端末装置は、前記第４の受信手段により受信された金融決済アプリケーション種別ごとのポイント還元率を、ポイント還元率が高い金融決済アプリケーションの順番に前記表示手段に表示することを特徴とする［５］記載のポイント還元率検索システム。
［７］
前記店舗端末装置は、前記第４の受信手段により受信された金融決済アプリケーション種別ごとのポイント還元率のうち最も高いポイント還元率の金融決済アプリケーションを自動的に選択して取引に使用することを特徴とする［５］記載のポイント還元率検索システム。
［８］
前記店舗端末装置は、前記第４の受信手段により受信された金融決済アプリケーション種別ごとのポイント還元率を、ポイント還元率が高い金融決済アプリケーションの順番に前記表示手段に表示し、あらかじめ定められた所定時間を経過すると、最も高いポイント還元率の金融決済アプリケーションを自動的に選択して取引に使用することを特徴とする［５］記載のポイント還元率検索システム。
［９］
利用者が所持し、少なくとも単数の金融決済アプリケーションが搭載されている携帯電話機と、金融決済会社に設置され、金融決済アプリケーションの利用に伴う金融決済処理を行なうとともに、金融決済アプリケーションの利用によって発生するポイントを店舗での利用額に応じて当該金融決済アプリケーションに対して還元する処理を行なうホスト装置との間で通信を行なうことにより、前記ポイントを還元するためのポイント還元率を検索するポイント還元率検索システムに使用され、
搭載された金融決済アプリケーションの種別を示すアプリケーション種別情報および当該金融決済アプリケーションを利用する利用者を特定する個人識別情報を保管する保管手段と、
利用者が利用する店舗に設置され、利用者の物品購入時に前記携帯電話機と通信することにより金融決済アプリケーションの処理を行なう店舗端末装置に対し当該店舗端末装置が設置されている店舗を特定する店舗情報の送信を要求する要求信号を送信する第１の送信手段と、
この第１の送信手段による前記要求信号の送信に対しそれを受信した前記店舗端末装置から送信される前記店舗情報を受信する第１の受信手段と、
この第１の受信手段により前記店舗情報を受信すると、当該店舗情報および前記保持手段により保持されているアプリケーション種別情報および個人識別情報とともにポイント還元率の検索を要求する要求信号を前記ホスト装置に対し送信する第２の送信手段と、
この第２の送信手段による前記要求信号および店舗情報およびアプリケーション種別情報および個人識別情報の送信に対しそれを受信した前記ホスト装置から送信される、前記受信した個人識別情報の利用者の、前記受信した店舗情報の店舗における、前記受信したアプリケーション種別情報の金融決済アプリケーションに対して還元するポイントの還元率を受信する第２の受信手段と、
この第２の受信手段により受信されたポイント還元率を金融決済アプリケーションの種別ごとに表示する表示手段と、
を具備したことを特徴とする携帯電話機。
［１０］
利用者が所持し、少なくとも単数の金融決済アプリケーションが搭載されているＩＣカードと、利用者が利用する店舗に設置され、利用者の物品購入時に前記ＩＣカードと通信することにより金融決済アプリケーションの処理を行なう店舗端末装置と、金融決済会社に設置され、前記店舗端末装置と通信することにより金融決済アプリケーションの利用に伴う金融決済処理を行なうとともに、金融決済アプリケーションの利用によって発生するポイントを店舗での利用額に応じて当該金融決済アプリケーションに対して還元する処理を行なうホスト装置とから構成されるポイント還元率検索システムに使用され、
搭載された金融決済アプリケーションの種別を示すアプリケーション種別情報および当該金融決済アプリケーションを利用する利用者を特定する個人識別情報を保管する保管手段と、
前記店舗端末装置から送信されるアプリケーション種別情報および個人識別情報の送信を要求する要求信号を受信する受信手段と、
この受信手段により前記要求信号を受信すると、前記保持手段により保持されているアプリケーション種別情報および個人識別情報を前記店舗端末装置に対し送信する送信手段と、
前記保管手段および前記受信手段および前記送信手段を一体的に収納したカード本体と、
を具備したことを特徴とするＩＣカード。
【符号の説明】
【０１１４】
１１…携帯電話機（携帯可能電子装置）、１２…非接触ＩＣカード（携帯可能電子装置）、１３…接触ＩＣカード（携帯可能電子装置）、１４…クレジット端末装置（店舗端末装置）、１５…携帯電話基地局、１６…ホストコンピュータ（ホスト装置）、１７…ホストコンピュータ（ホスト装置）、１８…通信回線網（通信手段）。
【図１】
0005546928.tif 000002
【図２】
0005546928.tif 000003
【図３】
0005546928.tif 000004
【図４】
0005546928.tif 000005
【図５】
0005546928.tif 000006
【図６】
0005546928.tif 000007
【図７】
0005546928.tif 000008
【図８】
0005546928.tif 000009
【図９】
0005546928.tif 000010
【図１０】
0005546928.tif 000011
【図１１】
0005546928.tif 000012
【図１２】
0005546928.tif 000013
【図１３】
0005546928.tif 000014
【図１４】
0005546928.tif 000015
【図１５】
0005546928.tif 000016
【図１６】
0005546928.tif 000017
【図１７】
0005546928.tif 000018
【図１８】
0005546928.tif 000019
【図１９】
0005546928.tif 000020
【図２０】
0005546928.tif 000021
【図２１】
0005546928.tif 000022